(57)【要約】    【課題】      アクティブセットのすべての基地局装置における受信電力がＲｏＴ閾値を超過することを抑制し、負荷過剰を防止すること。    【解決手段】  伝送レートコマンド取得部３０４は、基地局装置１００ａ〜１００ｃそれぞれから送信される伝送レートコマンドを受信信号から取得する。伝送レート決定部３０５は、伝送レートコマンドに従って上り回線の伝送レートを決定する。ＤＯＷＮ監視部３０６は、ノンプライマリセルの基地局装置１００ｂ、１００ｃからの伝送レートコマンドをモニタリングして、「ＤＯＷＮ」の量を監視する。そして、ＤＯＷＮ監視部３０６は、「ＤＯＷＮ」の量が多い基地局装置では負荷が大きいと判断する。他セル負荷情報生成部３０７は、負荷が大きい基地局装置がある場合は、プライマリセルの基地局装置１００ａによるＡＧの生成を禁止するための他セル負荷情報を生成する。  【選択図】      図３
2006140845.tif 000002
【特許請求の範囲】
【請求項１】
絶対的な伝送レートコマンドを送信する１つのプライマリセルの基地局装置および相対的な伝送レートコマンドを送信する少なくとも１つのノンプライマリセルの基地局装置を含む複数の基地局装置と同時に通信する移動局装置であって、
前記ノンプライマリセルの基地局装置における負荷が所定レベル以上であるか否かを判定する判定手段と、
前記ノンプライマリセルの基地局装置における負荷が所定レベル以上である場合に、前記相対的な伝送レートコマンドのみに応じた上り回線の伝送レートを決定する決定手段と、
を有することを特徴とする移動局装置。
【請求項２】
前記決定手段は、
前記ノンプライマリセルの基地局装置における負荷が所定レベル以上である場合に、前記プライマリセルの基地局装置による絶対的な伝送レートコマンドの送信を禁止するための他セル負荷情報を生成する生成手段と、
生成された他セル負荷情報を前記プライマリセルの基地局装置へ送信する送信手段と、
前記複数の基地局装置から前記相対的な伝送レートコマンドのみを取得する取得手段と、
を含むことを特徴とする請求項１記載の移動局装置。
【請求項３】
前記決定手段は、
前記複数の基地局装置から前記絶対的な伝送レートコマンドおよび前記相対的な伝送レートコマンドを取得する取得手段、を含み、
前記ノンプライマリセルの基地局装置における負荷が所定レベル以上である場合に、取得された絶対的な伝送レートコマンドを無視して伝送レートを決定することを特徴とする請求項１記載の移動局装置。
【請求項４】
前記判定手段は、
前記ノンプライマリセルの基地局装置から送信された相対的な伝送レートコマンドを受信する受信手段、を含み、
受信された相対的な伝送レートコマンドのうち、伝送レートを減少させる旨のコマンドの統計量に基づいて、前記ノンプライマリセルの基地局装置における負荷が所定レベル以上であるか否かを判定することを特徴とする請求項１記載の移動局装置。
【請求項５】
前記判定手段は、
伝送レートを減少させる旨のコマンドが所定時間内に所定回数以上受信された場合に、前記ノンプライマリセルの基地局装置における負荷が所定レベル以上であると判定することを特徴とする請求項４記載の移動局装置。
【請求項６】
前記判定手段は、
前記ノンプライマリセルの基地局装置における受信電力の内訳を示すＲｏＴ情報を受信する受信手段、を含み、
受信されたＲｏＴ情報に基づいて、前記ノンプライマリセルの基地局装置における負荷が所定レベル以上であるか否かを判定することを特徴とする請求項１記載の移動局装置。
【請求項７】
前記判定手段は、
前記ノンプライマリセルの基地局装置における受信電力と受信可能な最大電力を示すＲｏＴ閾値との差が所定値以下である場合に、前記ノンプライマリセルの基地局装置における負荷が所定レベル以上であると判定することを特徴とする請求項６記載の移動局装置。
【請求項８】
前記判定手段は、
前記ノンプライマリセルの基地局装置における負荷状況を示す負荷過剰情報を受信する受信手段、を含み、
受信された負荷過剰情報に基づいて、前記ノンプライマリセルの基地局装置における負荷が所定レベル以上であるか否かを判定することを特徴とする請求項１記載の移動局装置。
【請求項９】
前記判定手段は、
前記ノンプライマリセルの基地局装置における負荷状況を示す負荷過剰情報を受信する受信手段、を含み、
前記決定手段は、
受信された負荷過剰情報を前記プライマリセルの基地局装置へ送信する送信手段と、
前記複数の基地局装置から前記相対的な伝送レートコマンドのみを取得する取得手段と、を含むことを特徴とする請求項１記載の移動局装置。
【請求項１０】
前記決定手段は、
前記絶対的な伝送レートコマンドに応じた上り回線の伝送レートを決定する場合に、伝送レートが変化する範囲を制限することを特徴とする請求項１記載の移動局装置。
【請求項１１】
前記決定手段は、
前記伝送レートが変化する範囲を変更した場合、変更後の範囲を前記複数の基地局装置へ報知することを特徴とする請求項１０記載の移動局装置。
【請求項１２】
前記決定手段は、
前記絶対的な伝送レートコマンドに応じた上り回線の伝送レートを決定する場合に、伝送レートが変化する時間を遅延させ、遅延後の伝送レートが変化する時間を前記複数の基地局装置へ報知することを特徴とする請求項１記載の移動局装置。
【請求項１３】
前記決定手段は、
前記絶対的な伝送レートコマンドおよび前記相対的な伝送レートコマンドを用いて伝送レートを決定する場合に、前記相対的な伝送レートコマンドに１つでも伝送レートを減少させる旨のコマンドが含まれていれば、このコマンドに従って上り回線の伝送レートを決定することを特徴とする請求項１記載の移動局装置。
【請求項１４】
ソフトハンドオーバ中の移動局装置を含む複数の移動局装置と通信する基地局装置であって、
前記ソフトハンドオーバ中の移動局装置が通信中の自装置以外の基地局装置における負荷状況を示す他セル負荷情報を受信する受信手段と、
前記複数の移動局装置それぞれに割り当てる上り回線の伝送レートに対応する絶対的な伝送レートコマンドまたは相対的な伝送レートコマンドを生成するスケジューリング手段と、を有し、
前記スケジューリング手段は、
前記他セル負荷情報によって前記自装置以外の基地局装置における負荷が所定レベル以上であると判断される場合に、前記絶対的な伝送レートコマンドの生成を制限することを特徴とする基地局装置。
【請求項１５】
前記スケジューリング手段は、
前記他セル負荷情報によって前記自装置以外の基地局装置における負荷が所定レベル以上であると判断される場合に、所定幅の範囲内の伝送レートを指定する絶対的な伝送レートコマンドを生成することを特徴とする請求項１４記載の基地局装置。
【請求項１６】
絶対的な伝送レートコマンドを送信する１つのプライマリセルの基地局装置および相対的な伝送レートコマンドを送信する少なくとも１つのノンプライマリセルの基地局装置を含む複数の基地局装置と同時に通信する移動局装置の伝送レート制御方法であって、
前記ノンプライマリセルの基地局装置における負荷が所定レベル以上であるか否かを判定するステップと、
前記ノンプライマリセルの基地局装置における負荷が所定レベル以上である場合に、前記相対的な伝送レートコマンドのみに応じた上り回線の伝送レートを決定するステップと、
を有することを特徴とする伝送レート制御方法。
【発明の詳細な説明】
【技術分野】
【０００１】
本発明は、移動局装置、基地局装置、および伝送レート制御方法に関し、特にソフトハンドオーバ中の移動局装置が複数の基地局装置から上り回線の伝送レートを指示される移動体通信システムにおける移動局装置、基地局装置、および伝送レート制御方法に関する。
【背景技術】
【０００２】
近年、Ｗ−ＣＤＭＡ（Wideband-Code Division Multiple Access）における上り回線のパケット通信を高速化する伝送規格として、ＨＳＵＰＡ（High Speed Uplink Packet Access）が検討されている。ＨＳＵＰＡにおいては、上り回線パケットを伝送する専用のチャネルとしてＥ−ＤＣＨ（Enhanced-Dedicated CHannel）が設けられる。
【０００３】
このＥ−ＤＣＨの電力は、基地局装置の受信電力のうち、熱雑音電力、他セル干渉電力、および音声などの通信に用いられる個別チャネルの電力以外の部分を占めている。換言すれば、基地局装置が受信可能な最大の受信電力を示すＲｏＴ閾値（RoT(Rise over Thermal) threshold）から熱雑音電力、他セル干渉電力、および個別チャネル電力の３種類の電力を除外した電力に、Ｅ−ＤＣＨを割り当てることが可能である。
【０００４】
ここで、基地局装置がカバーするセルには、複数の移動局装置が属しているため、これらの移動局装置に効率良くＥ−ＤＣＨ電力を割り当てて上り回線のパケット通信を行う必要がある。非特許文献１においては、このＥ−ＤＣＨ電力を各移動局装置に効率良く分配するために、基地局装置によってスケジューリングが行われることが記載されている。
【０００５】
一方、移動局装置は、複数のセルの境界付近に位置する際にソフトハンドオーバを行って、複数の基地局装置と通信を行うことがある。このとき、ソフトハンドオーバ中の移動局装置に関しては、複数の基地局装置によってスケジューリングが行われ、上り回線の伝送レートが制御されることになる。つまり、１つの移動局装置に対して、複数の基地局装置から上り回線の伝送レートを制御するための伝送レートコマンドが送信されることになり、移動局装置は、複数の伝送レートコマンドから実際の上り回線の伝送レートを決定する必要がある。
【０００６】
このような伝送レート制御方法の１つとしては、例えば非特許文献２に提案されているものがある。非特許文献２においては、ソフトハンドオーバ中の移動局装置が同時に通信する複数の基地局装置（以下、「アクティブセット（active set）の基地局装置」という）のセルから１つのプライマリセル（primary cell）が選択される。プライマリセルの基地局装置は、具体的に上り回線の伝送レートを指定する、絶対的な伝送レートコマンド（ＡＧ：Absolute Grants）の送信を含めて、自由に移動局装置の伝送レートを指示する。そして、プライマリセル以外のノンプライマリセル（non-primary cell）の基地局装置は、伝送レートを維持する旨の「ＨＯＬＤ」または伝送レートを減少させる旨の「ＤＯＷＮ」のいずれかを示す、相対的な伝送レートコマンド（ＲＧ：Relative Grants）を送信する。なお、プライマリセルの基地局装置は、伝送レートコマンドとしてＲＧも送信するが、プライマリセルの基地局装置は、ＲＧとして「ＨＯＬＤ」「ＤＯＷＮ」のみではなく、伝送レートを増加させる旨の「ＵＰ」を送信することがある。つまり、プライマリセルの基地局装置は、ＡＧおよびＲＧの両方によって自由に伝送レートを指示する一方、ノンプライマリセルの基地局装置は、ＲＧのみによって伝送レートを増加させる以外の指示をする。
【０００７】
移動局装置は、基本的にはプライマリセルからのＡＧまたはＲＧに従うものの、ノンプライマリセルからのＲＧを考慮に入れることにより、迅速な伝送レートの最適化を図りつつ、アクティブセットの基地局装置すべてのセルにおける干渉電力の増加を抑制することができる。
【０００８】
具体的に図９を参照して、アクティブセットの基地局装置＃１〜＃４のうち基地局装置＃１のセルがプライマリセルである場合について説明する。図９は、時刻１〜１１における、基地局装置＃１（プライマリセル）のＡＧ、基地局装置＃２〜＃４（ノンプライマリセル）のＲＧ、移動局装置の動作、および実際の上り回線の伝送レートを示す図である。
【０００９】
例えば時刻１においては、基地局装置＃１は、１２８ｋｂｐｓ（kilo bit per second）の伝送レートで上り回線の通信を行う旨の指示（ＡＧ）を移動局装置へ送信する。また、基地局装置＃２〜＃４は、それぞれのセルにおける伝搬環境や通信状態を考慮して、現在の伝送レートを維持する旨の「ＨＯＬＤ」（ＲＧ）を移動局装置へ送信する。なお、図９においては、伝送レートの維持（ＨＯＬＤ）を「Ｈ」で示し、伝送レートの減少（ＤＯＷＮ）を「Ｄ」で示している。
【００１０】
移動局装置は、基地局装置＃２〜＃４のＲＧがすべて「ＨＯＬＤ」であることから、干渉電力が過大となっているノンプライマリセルはないと判断し、基地局装置＃１のＡＧに従って伝送レートを１２８ｋｂｐｓに設定してパケットを送信する。
【００１１】
次いで、時刻２においては、基地局装置＃１は、再び１２８ｋｂｐｓのＡＧを送信する。一方、基地局装置＃２は、伝送レートを減少させる旨の「ＤＯＷＮ」を送信し、基地局装置＃３、＃４は、「ＨＯＬＤ」を送信する。
【００１２】
移動局装置は、基地局装置＃２のＲＧが「ＤＯＷＮ」であることから、基地局装置＃２のセルにおける干渉電力が過大となっていると判断し、あらかじめ設定された減少幅だけ伝送レートを減少させる。したがって、移動局装置は、基地局装置＃１のＡＧに従わずに１段階伝送レートを減少させて９６ｋｂｐｓに設定してパケットを送信する。
【００１３】
このような伝送レート制御を行うことにより、プライマリセルのＡＧによって迅速に伝送レートを変更することができるとともに、ノンプライマリセルのＲＧによってノンプライマリセルにおける干渉電力の増大を抑制することができる。
【非特許文献１】3GPP TR25.896 V6.0.0（2004-03）
【非特許文献２】"EUL scheduling: signalling support"、3GPP TSG-RAN WG1 Meeting #38bis、R1-041084（2004-09）
【発明の開示】
【発明が解決しようとする課題】
【００１４】
しかしながら、上述した伝送レート制御方法では、プライマリセルのＡＧに従う場合は、大幅に伝送レートが変化することがある一方、ノンプライマリセルのＲＧに従う場合は、あらかじめ定められた幅ずつ伝送レートが増減するため、一時的にノンプライマリセルにおける受信電力がＲｏＴ閾値を超えてしまい、負荷が過剰になることがある。
【００１５】
この問題について、図１０の例を参照して具体的に説明する。図１０は、図９と同様に、時刻１〜８における伝送レート制御を示す図である。
【００１６】
時刻１においては、基地局装置＃１から３２ｋｂｐｓのＡＧが送信され、基地局装置＃２〜＃４から「ＨＯＬＤ」が送信される。このため移動局装置は、基地局装置＃１のＡＧに従って伝送レートを３２ｋｂｐｓに設定してパケットを送信する。基地局装置＃１〜＃４は、３２ｋｂｐｓで送信されるパケットを受信することになる。
【００１７】
次いで、時刻２において例えば基地局装置＃１における負荷が低下すると、基地局装置＃１から伝送レートを５１２ｋｂｐｓへ大幅に増加させる旨のＡＧが送信される。また、基地局装置＃２〜＃４は、時刻１における伝送レート制御により、３２ｋｂｐｓで送信されるパケットを受信しているため、干渉電力が過大となっていることはなく、基地局装置＃２〜＃４から時刻１と同様に「ＨＯＬＤ」が送信される。このため移動局装置は、基地局装置＃１のＡＧに従って伝送レートを５１２ｋｂｐｓに設定してパケットを送信する。基地局装置＃１〜＃４は、５１２ｋｂｐｓで送信されるパケットを受信することになる。
【００１８】
そして、伝送レートが５１２ｋｂｐｓとなると、基地局装置＃２〜＃４における受信電力がＲｏＴ閾値を超えてしまうため、時刻３においては、基地局装置＃２〜＃４から「ＤＯＷＮ」が送信される。このため移動局装置は、基地局装置＃２〜＃４のＲＧに従って伝送レートを１段階減少させて３８４ｋｂｐｓに設定してパケットを送信する。基地局装置＃１〜＃４は、３８４ｋｂｐｓで送信されるパケットを受信することになる。
【００１９】
ところが、伝送レートを３８４ｋｂｐｓに減少させても、基地局装置＃２〜＃４における受信電力はまだＲｏＴ閾値を超えており、時刻４においても、基地局装置＃２〜＃４から「ＤＯＷＮ」が送信される。そして、移動局装置は、再び伝送レートを１段階減少させて２５６ｋｂｐｓに設定してパケットを送信する。伝送レートが２５６ｋｂｐｓとなっても、基地局装置＃２〜＃４における負荷は過剰な状態となっており、時刻５以降においても基地局装置＃２〜＃４から「ＤＯＷＮ」が送信される。
【００２０】
このように、プライマリセルの基地局装置＃１のＡＧによって伝送レートが大幅に増加すると、ノンプライマリセルの基地局装置＃２〜＃４においては受信電力がＲｏＴ閾値を超えてしまうことがある。このため、基地局装置＃２〜＃４から「ＤＯＷＮ」が送信されるが、ノンプライマリセルの基地局装置＃２〜＃４によるＲＧはプライマリセルの基地局装置＃１によるＡＧとは異なり、所定の幅ずつ段階的に伝送レートを減少させるのみであるため、基地局装置＃２〜＃４において負荷過剰な状態が継続することがある。
【００２１】
本発明はかかる点に鑑みてなされたものであり、アクティブセットのすべての基地局装置における受信電力がＲｏＴ閾値を超過することを抑制し、負荷過剰を防止することができる移動局装置、基地局装置、および伝送レート制御方法を提供することを目的とする。
【課題を解決するための手段】
【００２２】
本発明に係る移動局装置は、絶対的な伝送レートコマンドを送信する１つのプライマリセルの基地局装置および相対的な伝送レートコマンドを送信する少なくとも１つのノンプライマリセルの基地局装置を含む複数の基地局装置と同時に通信する移動局装置であって、前記ノンプライマリセルの基地局装置における負荷が所定レベル以上であるか否かを判定する判定手段と、前記ノンプライマリセルの基地局装置における負荷が所定レベル以上である場合に、前記相対的な伝送レートコマンドのみに応じた上り回線の伝送レートを決定する決定手段と、を有する構成を採る。
【００２３】
本発明に係る基地局装置は、ソフトハンドオーバ中の移動局装置を含む複数の移動局装置と通信する基地局装置であって、前記ソフトハンドオーバ中の移動局装置が通信中の自装置以外の基地局装置における負荷状況を示す他セル負荷情報を受信する受信手段と、前記複数の移動局装置それぞれに割り当てる上り回線の伝送レートに対応する絶対的な伝送レートコマンドまたは相対的な伝送レートコマンドを生成するスケジューリング手段と、を有し、前記スケジューリング手段は、前記他セル負荷情報によって前記自装置以外の基地局装置における負荷が所定レベル以上であると判断される場合に、前記絶対的な伝送レートコマンドの生成を制限する構成を採る。
【００２４】
本発明に係る伝送レート制御方法は、絶対的な伝送レートコマンドを送信する１つのプライマリセルの基地局装置および相対的な伝送レートコマンドを送信する少なくとも１つのノンプライマリセルの基地局装置を含む複数の基地局装置と同時に通信する移動局装置の伝送レート制御方法であって、前記ノンプライマリセルの基地局装置における負荷が所定レベル以上であるか否かを判定するステップと、前記ノンプライマリセルの基地局装置における負荷が所定レベル以上である場合に、前記相対的な伝送レートコマンドのみに応じた上り回線の伝送レートを決定するステップと、を有するようにした。
【００２５】
これらによれば、ノンプライマリセルの基地局装置における負荷が大きい場合は、相対的な伝送レートコマンドのみに応じた上り回線の伝送レートを決定するため、絶対的な伝送レートコマンドによって急激に上り回線の伝送レートが増加することがなく、アクティブセットのすべての基地局装置における受信電力がＲｏＴ閾値を超過することを抑制し、負荷過剰を防止することができる。
【発明の効果】
【００２６】
本発明によれば、アクティブセットのすべての基地局装置における受信電力がＲｏＴ閾値を超過することを抑制し、負荷過剰を防止することができる。
【発明を実施するための最良の形態】
【００２７】
本発明の骨子は、プライマリセル以外のノンプライマリセルにおける負荷状態を移動局装置が推定し、ノンプライマリセルにおける負荷が小さい時のみ、移動局装置は、プライマリセルによる伝送レートの直接的な指示（ＡＧ）に従った伝送レート制御を実行することである。
【００２８】
以下、本発明の実施の形態について、図面を参照して詳細に説明する。
【００２９】
（実施の形態１）
図１は、本発明の実施の形態１に係る移動体通信システムの構成を示す図である。同図に示すように、基地局装置１００ａ〜１００ｃは互いに近接しており、それぞれセル２００ａ〜２００ｃをカバーしている。そして、移動局装置３００は、セル２００ａ〜２００ｃの境界付近に位置しており、基地局装置１００ａ〜１００ｃを通信相手としてソフトハンドオーバを行っている。すなわち、基地局装置１００ａ〜１００ｃは、移動局装置３００のアクティブセットの基地局装置である。
【００３０】
また、セル２００ａは、移動局装置３００のプライマリセルであり、セル２００ｂ、２００ｃは、移動局装置３００のノンプライマリセルである。したがって、セル２００ａをカバーする基地局装置１００ａからは、上り回線の伝送レートを具体的に指定するＡＧ、または「ＵＰ」「ＨＯＬＤ」「ＤＯＷＮ」のいずれかのＲＧが移動局装置３００へ送信される（図中太い矢印）。また、セル２００ｂ、２００ｃをカバーする基地局装置１００ｂ、１００ｃからは、「ＨＯＬＤ」「ＤＯＷＮ」のいずれかのＲＧが移動局装置３００へ送信される。すなわち、ノンプライマリセルの基地局装置１００ｂ、１００ｃには、上り回線の伝送レートを増加させる権限がない。移動局装置３００は、これらのＡＧおよびＲＧを受信し、最終的な上り回線の伝送レートを決定し、決定された伝送レートに応じた変調方式、符号化率、および送信電力で信号を送信する。
【００３１】
図２は、本実施の形態に係る基地局装置１００ａの要部構成を示すブロック図である。図２に示す基地局装置１００ａは、ＲＦ（Radio Frequency：無線周波数）受信部１０１、復調部１０２、誤り訂正復号部１０３、ＲｏＴ（Rise over Thermal）情報測定部１０４、他セル負荷情報取得部１０５、判定部１０６、スケジューリング部１０７、誤り訂正符号化部１０８、変調部１０９、およびＲＦ送信部１１０を有している。なお、基地局装置１００ｂ、１００ｃも同様の構成を有している。
【００３２】
ＲＦ受信部１０１は、移動局装置３００を含むセル２００ａ内の移動局装置から送信される信号をアンテナを介して受信し、受信信号に対して所定の無線受信処理（ダウンコンバート、Ａ／Ｄ変換など）を施す。
【００３３】
復調部１０２は、無線受信処理後の受信信号を復調し、得られた復調信号を誤り訂正復号部１０３へ出力する。なお、復調部１０２は、各移動局装置における伝送レート制御の結果、各移動局装置において適用された変調方式に対応する復調を行う。
【００３４】
誤り訂正復号部１０３は、復調信号を誤り訂正復号し、受信データを出力するとともに、各移動局装置が要求する上り回線の伝送レートを示す要求伝送レート情報をスケジューリング部１０７へ出力し、自装置以外のアクティブセットの基地局装置（ここでは、基地局装置１００ｂ、１００ｃ）のセル（以下、「他セル」という）における負荷状態を示す他セル負荷情報を他セル負荷情報取得部１０５へ出力する。なお、誤り訂正復号部１０３は、各移動局装置における伝送レート制御の結果、各移動局装置において適用された符号化率に対応する誤り訂正復号を行う。
【００３５】
ＲｏＴ情報測定部１０４は、ＲＦ受信部１０１における受信電力の内訳を測定し、この内訳に関するＲｏＴ情報をスケジューリング部１０７へ出力する。具体的には、ＲｏＴ情報測定部１０４は、ＲＦ受信部１０１における受信電力において、熱雑音電力、他セルからの干渉電力、セル１００ａ内の各移動局装置からの個別チャネル電力、およびセル１００ａ内の各移動局装置からのＥ−ＤＣＨ電力のそれぞれを測定し、この内訳を示すＲｏＴ情報をスケジューリング部１０７へ出力する。
【００３６】
他セル負荷情報取得部１０５は、移動局装置３００から送信される他セル負荷情報を誤り訂正復号後の受信信号から取得し、判定部１０６へ出力する。上述したように、他セル負荷情報は、自装置以外のアクティブセットの基地局装置（ここでは、基地局装置１００ｂ、１００ｃ）それぞれにおける負荷状態を示しており、移動局装置３００によって生成・送信されている。他セル負荷情報の生成については後述する。
【００３７】
判定部１０６は、自装置がプライマリセルの基地局装置であるか否かを判断し、自装置がプライマリセルである場合は、他セル負荷情報を参照して、他セル（つまり、ノンプライマリセル）の基地局装置における負荷が大きいか否かを判定する。そして、判定部１０６は、いずれかの他セルの負荷が大きい場合は、移動局装置３００に対するＡＧによる伝送レートの指示を禁止する旨をスケジューリング部１０７へ通知する。また、判定部１０６は、すべての他セルの負荷が小さい場合は、移動局装置３００に対するＡＧによる伝送レートの指示を許可する旨をスケジューリング部１０７へ通知する。なお、判定部１０６は、いずれかの他セルの負荷が大きい場合に、ＡＧによる伝送レートの指示を完全に禁止するのではなく、所定幅の伝送レートの増加までであれば許可する旨をスケジューリング部１０７へ通知するようにしても良い。
【００３８】
さらに、判定部１０６は、自装置がノンプライマリセルである場合は、他セル負荷情報を破棄して、スケジューリング部１０７に対して何の動作も行わない。
【００３９】
スケジューリング部１０７は、誤り訂正復号部１０３から出力される要求伝送レート情報、ＲｏＴ情報測定部１０４から出力されるＲｏＴ情報、および判定部１０６からの通知に従って、セル１００ａ内の各移動局装置のスケジューリングを行う。具体的には、スケジューリング部１０７は、各移動局装置から送信された要求伝送レート情報を満たすことができるか否かをＲｏＴ情報から判断し、各移動局装置に対して割り当てる伝送レートを決定し、この伝送レートに対応する伝送レートコマンドを生成して誤り訂正符号化部１０８へ出力する。
【００４０】
このとき、スケジューリング部１０７は、判定部１０６からＡＧを禁止する旨が通知されていれば、自装置がプライマリセルの基地局装置であっても絶対的な伝送レートを指定する伝送レートコマンドを生成せず、「ＵＰ」「ＨＯＬＤ」「ＤＯＷＮ」によって相対的な伝送レートを指定する伝送レートコマンドを生成する。すなわち、スケジューリング部１０７は、他セルの負荷が大きい場合は、ＡＧの伝送レートコマンドではなく、ＲＧの伝送レートコマンドを生成する。また、スケジューリング部１０７は、判定部１０６から所定量の伝送レートの増加までを許可する旨が通知されていれば、許可された範囲内でＡＧの伝送レートコマンドを生成する。
【００４１】
また、スケジューリング部１０７は、ＡＧの伝送レートコマンドとしては、例えば図４に示すようなデータレートに対応するＴＦＣ（Transport Format Combination）のインデックス（ＴＦＣＩ：TFC Index）を直接指定する伝送レートコマンドを生成すれば良い。この場合、ＲＧの伝送レートコマンドは、ＴＦＣが１段階高くなったり低くなったりすることを意味する。
【００４２】
誤り訂正符号化部１０８は、伝送レートコマンドおよび送信データを誤り訂正符号化し、得られた符号化データを変調部１０９へ出力する。
【００４３】
変調部１０９は、符号化データを変調し、得られた変調データをＲＦ送信部１１０へ出力する。
【００４４】
ＲＦ送信部１１０は、変調データに対して所定の無線送信処理（Ｄ／Ａ変換、アップコンバートなど）を施し、アンテナを介して送信する。
【００４５】
図３は、本実施の形態に係る移動局装置３００の要部構成を示すブロック図である。図３に示す移動局装置３００は、ＲＦ受信部３０１、復調部３０２、誤り訂正復号部３０３、伝送レートコマンド取得部３０４、伝送レート決定部３０５、ＤＯＷＮ監視部３０６、他セル負荷情報生成部３０７、バッファ部３０８、誤り訂正符号化部３０９、変調部３１０、送信電力制御部３１１、およびＲＦ送信部３１２を有している。
【００４６】
ＲＦ受信部３０１は、基地局装置１００ａ〜１００ｃから送信される信号をアンテナを介して受信し、受信信号に対して所定の無線受信処理（ダウンコンバート、Ａ／Ｄ変換など）を施す。
【００４７】
復調部３０２は、無線受信処理後の受信信号を復調し、得られた復調信号を誤り訂正復号部３０３へ出力する。
【００４８】
誤り訂正復号部３０３は、復調信号を誤り訂正復号し、受信データを出力するとともに、受信信号に含まれる伝送レートコマンドを伝送レートコマンド取得部３０４へ出力する。
【００４９】
伝送レートコマンド取得部３０４は、基地局装置１００ａ〜１００ｃそれぞれから送信される伝送レートコマンドを誤り訂正復号後の受信信号から取得し、伝送レート決定部３０５およびＤＯＷＮ監視部３０６へ出力する。すなわち、伝送レートコマンド取得部３０４は、プライマリセルであるセル２００ａの基地局装置１００ａから送信されるＡＧまたはＲＧと、ノンプライマリセルであるセル２００ｂ、２００ｃの基地局装置１００ｂ、１００ｃから送信されるＲＧとを受信信号から取得する。
【００５０】
伝送レート決定部３０５は、各基地局装置１００ａ〜１００ｃから送信された伝送レートコマンドに従って、上り回線の伝送レートを決定し、バッファ部３０８、誤り訂正符号化部３０９、変調部３１０、および送信電力制御部３１１に対して伝送レートを指示する。
【００５１】
具体的には伝送レート決定部３０５は、例えばプライマリセルの基地局装置１００ａからの伝送レートコマンドがＡＧであり、ノンプライマリセルの基地局装置１００ｂ、１００ｃからの伝送レートコマンドがいずれも「ＨＯＬＤ」を示すＲＧである場合は、基地局装置１００ａからのＡＧに従った伝送レートを最終的な伝送レートに決定する。また、例えばプライマリセルの基地局装置１００ａからの伝送レートコマンドがＡＧであり、ノンプライマリセルの基地局装置１００ｂ、１００ｃの少なくとも一方からの伝送レートコマンドが「ＤＯＷＮ」を示すＲＧである場合は、伝送レート決定部３０５は、現在の伝送レートより１段階低い伝送レートを最終的な伝送レートに決定する。
【００５２】
さらに、例えばすべての基地局装置１００ａ〜１００ｃからの伝送レートコマンドがＲＧである場合は、「ＤＯＷＮ」が１つでもあれば伝送レートを１段階低くする。このような優先的に「ＤＯＷＮ」に従う方式以外にも、伝送レート決定部３０５は、各基地局装置からの伝送レートコマンドにおける「ＵＰ」「ＨＯＬＤ」「ＤＯＷＮ」を所定のルールに従って合成し、最終的な伝送レートを決定しても良い。各基地局装置からのＲＧを合成するルールとして、例えばすべてのＲＧのうち伝送レートが最も小さくなるようなＲＧに従って最終的な伝送レートを決定することにより、アクティブセットのすべての基地局装置において負荷が過剰となることがない。
【００５３】
ＤＯＷＮ監視部３０６は、ノンプライマリセルの基地局装置１００ｂ、１００ｃからの伝送レートコマンドをモニタリングして、「ＤＯＷＮ」の量を監視する。すなわち、ＤＯＷＮ監視部３０６は、例えば所定の時間内において各基地局装置１００ｂ、１００ｃからＲＧの伝送レートコマンドとして「ＤＯＷＮ」が送信された回数を計測する。そして、ＤＯＷＮ監視部３０６は、「ＤＯＷＮ」の量が多い基地局装置では負荷が大きいと判断し、この基地局装置における負荷が大きい旨を他セル負荷情報生成部３０７へ通知する。具体的には、ＤＯＷＮ監視部３０６は、例えば所定時間内に「ＤＯＷＮ」が送信された回数が所定値以上である基地局装置の負荷が大きいと判断する。
【００５４】
なお、ＤＯＷＮ監視部３０６は、例えば、所定回数以上連続して「ＤＯＷＮ」を送信した基地局装置の負荷が大きいと判断しても良いし、所定時間内において送信した「ＤＯＷＮ」の割合が所定値以上である基地局装置の負荷が大きいと判断しても良い。また、ＤＯＷＮ監視部３０６は、アクティブセットのすべての基地局装置１００ａ〜１００ｃの「ＤＯＷＮ」の量を監視しても良い。
【００５５】
他セル負荷情報生成部３０７は、ＤＯＷＮ監視部３０６によるＲＧの伝送レートコマンドのモニタリング結果に応じて、各基地局装置１００ｂ、１００ｃの負荷状態を示す他セル負荷情報を生成する。すなわち、他セル負荷情報生成部３０７は、各基地局装置１００ｂ、１００ｃそれぞれの負荷が大きいか否かを他セル負荷情報とする。
【００５６】
バッファ部３０８は、送信データ、要求伝送レート情報、および他セル負荷情報を一時的に蓄積し、伝送レート決定部３０５から出力される最終的な伝送レートに応じて、蓄積されたデータを誤り訂正符号化部３０９へ出力する。
【００５７】
誤り訂正符号化部３０９は、最終的な伝送レートに対応する符号化率でバッファ部３０８から出力されるデータを誤り訂正符号化し、得られた符号化データを変調部３１０へ出力する。
【００５８】
変調部３１０は、最終的な伝送レートに対応する変調方式で符号化データを変調し、得られた変調データをＲＦ送信部３１２へ出力する。
【００５９】
送信電力制御部３１１は、最終的な伝送レートに対応する送信電力を決定し、決定された送信電力をＲＦ送信部３１２に設定する。
【００６０】
ＲＦ送信部３１２は、変調データに対して所定の無線送信処理（Ｄ／Ａ変換、アップコンバートなど）を施すとともに、この変調データの送信電力を送信電力制御部３１１によって設定された送信電力として、アンテナを介して送信する。
【００６１】
次いで、上記のように構成された基地局装置１００ａ〜１００ｃおよび移動局装置３００による上り回線の伝送レート制御動作について説明する。
【００６２】
まず、基地局装置１００ａ〜１００ｃからＡＧおよびＲＧの伝送レートコマンドが移動局装置３００へ送信される。ここでは、上述したように、移動局装置３００については、プライマリセルはセル２００ａであるため、基地局装置１００ａからＡＧの伝送レートコマンドが送信され、ノンプライマリセルはセル２００ｂ、２００ｃであるため、基地局装置１００ｂ、１００ｃからＲＧの伝送レートコマンドが送信されるものとする。
【００６３】
具体的には、各基地局装置１００ａ〜１００ｃのスケジューリング部１０７によって生成された伝送レートコマンドは、誤り訂正符号化部１０８によって送信データとともに誤り訂正符号化され、変調部１０９によって変調され、ＲＦ送信部１１０によって所定の無線送信処理が施された上で、アンテナを介して移動局装置３００へ送信される。
【００６４】
送信された伝送レートコマンドを含む信号は、ＲＦ受信部３０１によってアンテナを介して受信され、所定の無線受信処理が施される。そして、受信信号は、復調部３０２によって復調され、誤り訂正復号部３０３によって誤り訂正復号され、受信データが出力されるとともに、伝送レートコマンドが伝送レートコマンド取得部３０４へ出力される。
【００６５】
そして、伝送レートコマンド取得部３０４によって、基地局装置１００ａから送信されたＡＧの伝送レートコマンドおよび基地局装置１００ｂ、１００ｃから送信されたＲＧの伝送レートコマンドがそれぞれ取得され、すべての伝送レートコマンドが伝送レート決定部３０５へ出力されるとともに、ＲＧの伝送レートコマンドがＤＯＷＮ監視部３０６へ出力される。
【００６６】
伝送レートコマンドが伝送レート決定部３０５へ出力されると、伝送レート決定部３０５によって、実際に上り回線のデータを送信する伝送レートが決定される。具体的には、例えば基地局装置１００ｂ、１００ｃから送信されたＲＧの伝送レートコマンドがいずれも「ＨＯＬＤ」である場合は、基地局装置１００ａから送信されたＡＧの伝送レートコマンドに従った伝送レートが最終的な伝送レートとなる。また、例えば基地局装置１００ｂ、１００ｃから送信されたＲＧの伝送レートコマンドの少なくともいずれか一方が「ＤＯＷＮ」である場合は、基地局装置１００ａから送信されたＡＧの伝送レートコマンドに従わず、現在の伝送レートより１段階低い伝送レートが最終的な伝送レートとなる。決定された最終的な伝送レートは、バッファ部３０８、誤り訂正符号化部３０９、変調部３１０、および送信電力制御部３１１へ通知される。
【００６７】
上述した伝送レートの決定は、例えば図４に示したＴＦＣが変更されることにより実現される。つまり、例えば、図５に示すテーブルが伝送レート決定部３０５によって保持されており、伝送レートコマンドに従ってＴＦＣポインタ４００が移動することにより、最終的な伝送レートが決定される。ＡＧの伝送レートコマンドに従う場合は、ＴＦＣポインタ４００は大きく移動することもあるが、ＲＧの伝送レートコマンドに従う場合は、ＴＦＣポインタ４００は１段階ずつ移動することになる。
【００６８】
このとき、ＴＦＣポインタ４００が移動する範囲を制御ＴＦＣセット４１０として制限しておくことにより、ＡＧの伝送レートコマンドに従う場合もＴＦＣポインタ４００の移動が大きくなり過ぎることがなく、伝送レートが急激に変化することを抑制することができる。また、制御ＴＦＣセット４１０は、常に固定されたものではなく、アクティブセットの基地局装置の負荷状況によって可変にしても良い。この場合、制御ＴＦＣセット４１０が変更される際には、移動局装置３００は、アクティブセットのすべての基地局装置に変更後の制御ＴＦＣセット４１０を報知する。
【００６９】
一方、ＤＯＷＮ監視部３０６によって、ノンプライマリセルの基地局装置１００ｂ、１００ｃから送信されたＲＧの伝送レートコマンドのうち「ＤＯＷＮ」が監視されている。具体的には、ＤＯＷＮ監視部３０６によって、今回伝送レートコマンドが受信されるまでの所定時間内に受信されるＲＧの伝送レートコマンドがモニタリングされ、各基地局装置について「ＤＯＷＮ」が受信された回数または割合などが監視され、ノンプライマリセルの基地局装置ごとの負荷状況が判断される。すなわち、所定時間内に受信された「ＤＯＷＮ」が所定数以上である基地局装置の負荷が大きいと判断されたり、連続して受信された「ＤＯＷＮ」が所定数となった基地局装置の負荷が大きいと判断されたり、所定時間内に受信された「ＤＯＷＮ」の割合が所定値以上である基地局装置の負荷が大きいと判断されたりする。
【００７０】
ノンプライマリの基地局装置１００ｂ、１００ｃは、各基地局装置における受信電力がＲｏＴ閾値を超えそうな場合に、スケジューリング部１０７によるスケジューリングの結果、「ＤＯＷＮ」を生成している。したがって、「ＤＯＷＮ」を頻繁に送信する基地局装置においては、受信電力がＲｏＴ閾値を超えそうになっており、負荷が大きくなっていると考えられる。そこで、本実施の形態においては、ノンプライマリセルの基地局装置１００ｂ、１００ｃから送信されるＲＧの伝送レートコマンドのうち「ＤＯＷＮ」が監視されて、「ＤＯＷＮ」の統計量から各基地局装置における負荷状況が判断される。
【００７１】
このように、「ＤＯＷＮ」の統計量によって負荷が大きいと判断された基地局装置は、他セル負荷情報生成部３０７へ通知される。そして、他セル負荷情報生成部３０７によって、ノンプライマリセルの基地局装置１００ｂ、１００ｃにおける負荷が大きいか否かを示す他セル負荷情報が生成される。
【００７２】
なお、ノンプライマリセルの基地局装置１００ｂ、１００ｃにおける負荷が大きいか否かを他セル負荷情報とするのではなく、ノンプライマリセルの基地局装置１００ｂ、１００ｃに対応する「ＤＯＷＮ」の統計量そのものを他セル負荷情報としても良い。この場合は、ＤＯＷＮ監視部３０６によって負荷の大小が判断される必要はなく、プライマリセルの基地局装置１００ａによって、負荷の大小が判断されれば良い。
【００７３】
生成された他セル負荷情報は、バッファ部３０８へ出力される。また、バッファ部３０８には、送信データおよび移動局装置３００における所望の上り回線の伝送レートを示す要求伝送レート情報が一時的に蓄積されている。
【００７４】
そして、伝送レート決定部３０５から最終的な伝送レートがバッファ部３０８へ通知されるため、この伝送レートに応じた量の送信データ、要求伝送レート情報、および他セル負荷情報が誤り訂正符号化部３０９へ出力される。これらのデータは、誤り訂正符号化部３０９によって、最終的な伝送レートに応じた符号化率で誤り訂正符号化され、変調部３１０によって、最終的な伝送レートに応じた変調方式で変調され、得られた変調データがＲＦ送信部３１２へ出力される。また、送信電力制御部３１１によって、最終的な伝送レートに応じた送信電力が決定され、この送信電力がＲＦ送信部３１２に設定される。そして、ＲＦ送信部３１２によって、変調データに所定の無線送信処理が施され、設定された送信電力でアンテナを介して基地局装置１００ａ〜１００ｃへ送信される。
【００７５】
送信された他セル負荷情報および要求伝送レート情報を含む信号は、ＲＦ受信部１０１によってアンテナを介して受信され、所定の無線受信処理が施される。また、このとき、ＲｏＴ情報測定部１０４によって、受信信号の受信電力が測定され、受信電力の内訳に関するＲｏＴ情報が生成され、スケジューリング部１０７へ出力される。そして、受信信号は、復調部１０２によって復調され、誤り訂正復号部１０３によって誤り訂正復号され、受信データが出力されるとともに、要求伝送レート情報がスケジューリング部１０７へ出力され、他セル負荷情報が他セル負荷情報取得部１０５へ出力される。
【００７６】
そして、他セル負荷情報取得部１０５によって、基地局装置１００ｂ、１００ｃにおける負荷が大きいか否かを示す他セル負荷情報が取得され、各基地局装置における負荷状況が判定部１０６へ通知される。判定部１０６へ基地局装置１００ｂ、１００ｃにおける負荷状況が通知されると、自装置がノンプライマリセルの基地局装置１００ｂ、１００ｃである場合は、判定部１０６によって他セル負荷情報が破棄され、スケジューリング部１０７に対して何の動作も行われない。一方、自装置がプライマリセルの基地局装置１００ａである場合は、判定部１０６によって、他セル（すなわち、ノンプライマリセル）の基地局装置１００ｂ、１００ｃの負荷状況が参照され、いずれか一方の基地局装置でも負荷が大きい場合は、ＴＦＣを直接指定するＡＧを禁止する旨がスケジューリング部１０７へ通知される。また、いずれの基地局装置の負荷も大きくない場合は、ＴＦＣを直接指定するＡＧを許可する旨がスケジューリング部１０７へ通知される。
【００７７】
スケジューリング部１０７では、要求伝送レート情報およびＲｏＴ情報が参照され、自装置がカバーするセル内の移動局装置に対して割り当てる受信電力が決定され、この受信電力に応じた伝送レートを実現するための伝送レートコマンドが生成される。すなわち、ノンプライマリセルの基地局装置１００ｂ、１００ｃのスケジューリング部１０７では、ＴＦＣを維持する「ＨＯＬＤ」またはＴＦＣを１段階低くする「ＤＯＷＮ」のいずれかのＲＧの伝送レートコマンドが生成される。
【００７８】
また、プライマリセルの基地局装置１００ａのスケジューリング部１０７では、判定部１０６からの通知により、ＡＧまたはＲＧの伝送レートコマンドが生成される。すなわち、判定部１０６によってＡＧが許可されている場合は、ＴＦＣを直接指定するＡＧの伝送レートコマンドが生成され、ＡＧが禁止されている場合は、「ＵＰ」、「ＨＯＬＤ」、または「ＤＯＷＮ」のいずれかのＲＧの伝送レートコマンドが生成される。
【００７９】
このように、ノンプライマリセルの基地局装置１００ｂ、１００ｃのいずれか一方でも負荷が大きい場合はＡＧが禁止されるので、プライマリセルの基地局装置１００ａのＡＧによって移動局装置３００からの上り回線の伝送レートが急激に高くなることを防止し、基地局装置１００ｂ、１００ｃにおける受信電力がＲｏＴ閾値を超えてしまうことを防止することができる。換言すれば、アクティブセットのすべての基地局装置における受信電力がＲｏＴ閾値を超過することを抑制し、負荷過剰を防止することができる。
【００８０】
以下、再び基地局装置１００ａ〜１００ｃからＡＧおよびＲＧの伝送レートコマンドが移動局装置３００へ送信され、上り回線の伝送レートが制御されるとともに、移動局装置３００においては、ノンプライマリセルの基地局装置１００ｂ、１００ｃの負荷状況がＲＧの伝送レートコマンドから推定される。
【００８１】
このように、本実施の形態によれば、移動局装置がアクティブセットの基地局装置から送信される、相対的な伝送レートの増減を示すＲＧの伝送レートコマンドに基づいて、ノンプライマリセルの基地局装置における負荷状況を推定してプライマリセルの基地局装置へ通知する。そして、ノンプライマリセルの基地局装置における負荷が大きい場合は、プライマリセルの基地局装置は、直接伝送レートを指定するＡＧの伝送レートコマンドを生成しない。このため、ノンプライマリセルの基地局装置における負荷が大きい場合には、上り回線の伝送レートが急激に増加することがなく、アクティブセットのすべての基地局装置における受信電力がＲｏＴ閾値を超過することを抑制し、負荷過剰を防止することができる。
【００８２】
（実施の形態２）
本発明の実施の形態２の特徴は、移動局装置がノンプライマリセルの基地局装置における負荷状況を判断するとともに、ノンプライマリセルの基地局装置における負荷が大きい場合は、プライマリセルの基地局装置から送信されたＡＧの伝送レートコマンドに従わない点である。
【００８３】
本実施の形態に係る移動体通信システムの構成は、実施の形態１（図１）と同様であるため、その説明を省略する。
【００８４】
図６は、本実施の形態に係る基地局装置１００ａの要部構成を示すブロック図である。同図において、図２と同じ部分には同じ符号を付し、その説明を省略する。図６に示す基地局装置１００ａは、ＲＦ受信部１０１、復調部１０２、誤り訂正復号部１０３、ＲｏＴ情報測定部１０４、スケジューリング部１０７ａ、誤り訂正符号化部１０８、変調部１０９、およびＲＦ送信部１１０を有している。なお、基地局装置１００ｂ、１００ｃも同様の構成を有している。
【００８５】
スケジューリング部１０７ａは、要求伝送レート情報およびＲｏＴ情報に従って、セル１００ａ内の各移動局装置のスケジューリングを行う。具体的には、スケジューリング部１０７ａは、各移動局装置から送信された要求伝送レート情報を満たすことができるか否かをＲｏＴ情報から判断し、各移動局装置に対して割り当てる伝送レートを決定し、この伝送レートに対応する伝送レートコマンドを生成して誤り訂正符号化部１０８へ出力する。
【００８６】
本実施の形態においては実施の形態１と異なり、スケジューリング部１０７ａは、自装置がプライマリセルの基地局装置であれば、ノンプライマリセルの基地局装置における負荷状況に拘わらず、ＡＧまたはＲＧのいずれかの伝送レートコマンドを生成する。また、自装置がノンプライマリセルの基地局装置であれば、実施の形態１と同様に、ＲＧの伝送レートコマンドを生成する。
【００８７】
図７は、本実施の形態に係る移動局装置３００の要部構成を示すブロック図である。同図において、図３と同じ部分には同じ符号を付し、その説明を省略する。図７に示す移動局装置３００は、ＲＦ受信部３０１、復調部３０２、誤り訂正復号部３０３、伝送レートコマンド取得部３０４、伝送レート決定部３０５ａ、ＤＯＷＮ監視部３０６ａ、バッファ部３０８、誤り訂正符号化部３０９、変調部３１０、送信電力制御部３１１、およびＲＦ送信部３１２を有している。
【００８８】
伝送レート決定部３０５ａは、各基地局装置１００ａ〜１００ｃから送信された伝送レートコマンドおよび後述するＤＯＷＮ監視部３０６ａにおける「ＤＯＷＮ」の監視結果に従って、上り回線の伝送レートを決定し、バッファ部３０８、誤り訂正符号化部３０９、変調部３１０、および送信電力制御部３１１に対して伝送レートを指示する。
【００８９】
具体的には伝送レート決定部３０５ａは、例えばプライマリセルの基地局装置１００ａからの伝送レートコマンドがＡＧであり、ノンプライマリセルの基地局装置１００ｂ、１００ｃからの伝送レートコマンドがいずれも「ＨＯＬＤ」を示すＲＧであり、さらに、ＤＯＷＮ監視部３０６ａにおける「ＤＯＷＮ」の監視結果から負荷が大きい基地局装置がない場合は、基地局装置１００ａからのＡＧに従った伝送レートを最終的な伝送レートに決定する。また、例えばプライマリセルの基地局装置１００ａからの伝送レートコマンドがＡＧであり、ノンプライマリセルの基地局装置１００ｂ、１００ｃからの伝送レートコマンドがいずれも「ＨＯＬＤ」を示すＲＧであっても、ＤＯＷＮ監視部３０６ａにおける「ＤＯＷＮ」の監視結果から負荷が大きい基地局装置がある場合は、基地局装置１００ａからのＡＧに従わず基地局装置１００ｂ、１００ｃからのＲＧに基づいて最終的な伝送レートを決定する。
【００９０】
ＤＯＷＮ監視部３０６ａは、ノンプライマリセルの基地局装置１００ｂ、１００ｃからの伝送レートコマンドをモニタリングして、「ＤＯＷＮ」の量を監視する。すなわち、ＤＯＷＮ監視部３０６ａは、例えば所定の時間内において各基地局装置１００ｂ、１００ｃからＲＧの伝送レートコマンドとして「ＤＯＷＮ」が送信された回数を計測する。そして、ＤＯＷＮ監視部３０６ａは、「ＤＯＷＮ」の量が多い基地局装置では負荷が大きいと判断し、この基地局装置における負荷が大きい旨を伝送レート決定部３０５ａへ通知する。具体的には、ＤＯＷＮ監視部３０６ａは、例えば所定時間内に「ＤＯＷＮ」が送信された回数が所定値以上である基地局装置の負荷が大きいと判断する。
【００９１】
なお、ＤＯＷＮ監視部３０６ａは、例えば、所定回数以上連続して「ＤＯＷＮ」を送信した基地局装置の負荷が大きいと判断しても良いし、所定時間内において送信した「ＤＯＷＮ」の割合が所定値以上である基地局装置の負荷が大きいと判断しても良い。また、ＤＯＷＮ監視部３０６ａは、アクティブセットのすべての基地局装置１００ａ〜１００ｃの「ＤＯＷＮ」の量を監視しても良い。
【００９２】
次いで、上記のように構成された基地局装置１００ａ〜１００ｃおよび移動局装置３００による上り回線の伝送レート制御動作について説明する。
【００９３】
まず、実施の形態１と同様に、各基地局装置１００ａ〜１００ｃのスケジューリング部１０７ａによって生成されたＡＧおよびＲＧの伝送レートコマンドが移動局装置３００へ送信される。この動作は、実施の形態１と同様であるため、説明を省略する。
【００９４】
送信された伝送レートコマンドを含む信号は、ＲＦ受信部３０１によってアンテナを介して受信され、所定の無線受信処理が施される。そして、受信信号は、復調部３０２によって復調され、誤り訂正復号部３０３によって誤り訂正復号され、受信データが出力されるとともに、伝送レートコマンドが伝送レートコマンド取得部３０４へ出力される。
【００９５】
そして、伝送レートコマンド取得部３０４によって、基地局装置１００ａから送信されたＡＧの伝送レートコマンドおよび基地局装置１００ｂ、１００ｃから送信されたＲＧの伝送レートコマンドがそれぞれ取得され、すべての伝送レートコマンドが伝送レート決定部３０５ａへ出力されるとともに、ＲＧの伝送レートコマンドがＤＯＷＮ監視部３０６ａへ出力される。
【００９６】
一方、ＤＯＷＮ監視部３０６ａによって、ノンプライマリセルの基地局装置１００ｂ、１００ｃから送信されたＲＧの伝送レートコマンドのうち「ＤＯＷＮ」が監視されている。具体的には、ＤＯＷＮ監視部３０６ａによって、今回伝送レートコマンドが受信されるまでの所定時間内に受信されるＲＧの伝送レートコマンドがモニタリングされ、各基地局装置について「ＤＯＷＮ」が受信された回数または割合などが監視され、ノンプライマリセルの基地局装置ごとの負荷状況が判断される。すなわち、所定時間内に受信された「ＤＯＷＮ」が所定数以上である基地局装置の負荷が大きいと判断されたり、所定時間内に受信された「ＤＯＷＮ」の割合が所定値以上である基地局装置の負荷が大きいと判断されたりする。
【００９７】
このように、「ＤＯＷＮ」の統計量によって負荷が大きいと判断された基地局装置は、伝送レート決定部３０５ａへ通知される。そして、伝送レート決定部３０５ａによって、実際に上り回線のデータを送信する伝送レートが決定される。具体的には、例えば基地局装置１００ｂ、１００ｃから送信されたＲＧの伝送レートコマンドがいずれも「ＨＯＬＤ」であり、かつ、「ＤＯＷＮ」の統計量によって負荷が大きいと判断された基地局装置がない場合は、基地局装置１００ａから送信されたＡＧの伝送レートコマンドに従った伝送レートが最終的な伝送レートとなる。また、例えばＲＧの伝送レートコマンドがいずれも「ＨＯＬＤ」であっても、「ＤＯＷＮ」の統計量によって負荷が大きいと判断された基地局装置がある場合は、基地局装置１００ａから送信されたＡＧの伝送レートコマンドに従わず、現在の伝送レートと同じ伝送レートまたは１段階低い伝送レートが最終的な伝送レートとなる。決定された最終的な伝送レートは、バッファ部３０８、誤り訂正符号化部３０９、変調部３１０、および送信電力制御部３１１へ通知される。
【００９８】
本実施の形態においては、ＤＯＷＮ監視部３０６ａによって、「ＤＯＷＮ」の統計量からノンプライマリセルの各基地局装置１００ｂ、１００ｃの負荷状況が判断され、負荷が大きい基地局装置がある場合は、伝送レート決定部３０５ａは、プライマリセルの基地局装置１００ａから送信されるＡＧの伝送レートコマンドを無視して、ＲＧによる伝送レートを最終的な伝送レートとする。つまり、プライマリセルの基地局装置１００ａは、他セルの負荷状況を考慮せずにＡＧを行っても、他セルの負荷が大きい場合にはＡＧは実行されないことになる。したがって、基地局装置１００ａ〜１００ｃの構成を変更することなく移動局装置３００のみを変更することで、アクティブセットのすべての基地局装置における受信電力がＲｏＴ閾値を超過することを抑制し、負荷過剰を防止することができる。また、他セル負荷情報などの上り回線を伝送される情報量を削減することができる。
【００９９】
以下、実施の形態１と同様に、最終的な伝送レートに応じた符号化率、変調方式、および送信電力で、送信データおよび要求伝送レート情報がアンテナを介して基地局装置１００ａ〜１００ｃへ送信される。
【０１００】
送信された要求伝送レート情報を含む信号は、ＲＦ受信部１０１によってアンテナを介して受信され、所定の無線受信処理が施される。また、このとき、ＲｏＴ情報測定部１０４によって、受信信号の受信電力が測定され、ＲｏＴ情報が生成されてスケジューリング部１０７ａへ出力される。そして、受信信号は、復調部１０２によって復調され、誤り訂正復号部１０３によって誤り訂正復号され、受信データが出力されるとともに、要求伝送レート情報がスケジューリング部１０７ａへ出力される。
【０１０１】
スケジューリング部１０７ａでは、要求伝送レート情報およびＲｏＴ情報が参照され、自装置がカバーするセル内の移動局装置に対して割り当てる受信電力が決定され、この受信電力に応じた伝送レートを実現するための伝送レートコマンドが生成される。すなわち、ノンプライマリセルの基地局装置１００ｂ、１００ｃのスケジューリング部１０７ａでは、ＴＦＣを維持する「ＨＯＬＤ」またはＴＦＣを１段階低くする「ＤＯＷＮ」のいずれかのＲＧの伝送レートコマンドが生成される。
【０１０２】
また、プライマリセルの基地局装置１００ａのスケジューリング部１０７ａでは、ＡＧの伝送レートコマンドＲＧの伝送レートコマンドが生成される。このとき、実施の形態１とは異なり、ＡＧおよびＲＧのいずれの伝送レートコマンドが生成されるかについての制限はなく、ノンプライマリセルの基地局装置１００ｂ、１００ｃの負荷状況に関係なく伝送レートコマンドが生成される。
【０１０３】
以下、再び基地局装置１００ａ〜１００ｃからＡＧおよびＲＧの伝送レートコマンドが移動局装置３００へ送信され、上り回線の伝送レートが制御されるとともに、移動局装置３００においては、ノンプライマリセルの基地局装置１００ｂ、１００ｃの負荷状況がＲＧの伝送レートコマンドから推定される。
【０１０４】
このように、本実施の形態によれば、移動局装置がアクティブセットの基地局装置から送信される、相対的な伝送レートの増減を示すＲＧの伝送レートコマンドに基づいて、ノンプライマリセルの基地局装置における負荷状況を推定する。そして、ノンプライマリセルの基地局装置における負荷が大きい場合は、移動局装置は、プライマリセルの基地局装置から送信される、直接伝送レートを指定するＡＧの伝送レートコマンドを無視する。このため、ノンプライマリセルの基地局装置における負荷が大きい場合には、上り回線の伝送レートが急激に増加することがなく、アクティブセットのすべての基地局装置における受信電力がＲｏＴ閾値を超過することを抑制し、負荷過剰を防止することができる。また、移動局装置の構成の変更のみで済み、上り回線を伝送される情報量を削減することができる。
【０１０５】
（実施の形態３）
本発明の実施の形態３の特徴は、基地局装置がＲｏＴ情報を送信し、移動局装置はＲｏＴ情報に基づいてノンプライマリセルの基地局装置における負荷状況を判断する点である。
【０１０６】
本実施の形態に係る移動体通信システムの構成は、実施の形態１（図１）と同様であるため、その説明を省略する。
【０１０７】
また、本実施の形態に係る基地局装置１００ａの構成は、実施の形態２に係る基地局装置１００ａ（図６）と同様であるため、その説明を省略する。ただし、本実施の形態に係る基地局装置１００ａは、ＲｏＴ情報測定部１０４によって生成されたＲｏＴ情報を、伝送レート制御コマンドとともに移動局装置３００へ送信する。なお、基地局装置１００ｂ、１００ｃも同様の構成を有している。
【０１０８】
図８は、本実施の形態に係る移動局装置３００の要部構成を示すブロック図である。同図において、図３と同じ部分には同じ符号を付し、その説明を省略する。図８に示す移動局装置３００は、ＲＦ受信部３０１、復調部３０２、誤り訂正復号部３０３、伝送レートコマンド取得部３０４、伝送レート決定部３０５ｂ、ＲｏＴ情報取得部５０１、他セル負荷判定部５０２、バッファ部３０８、誤り訂正符号化部３０９、変調部３１０、送信電力制御部３１１、およびＲＦ送信部３１２を有している。
【０１０９】
ＲｏＴ情報取得部５０１は、基地局装置１００ａ〜１００ｃそれぞれから送信されるＲｏＴ情報を誤り訂正復号後の受信信号から取得し、他セル負荷判定部５０２へ出力する。すなわち、ＲｏＴ情報取得部５０１は、各基地局装置１００ａ〜１００ｃにおける受信電力の内訳を示すＲｏＴ情報を取得し、他セル負荷判定部５０２へ出力する。
【０１１０】
他セル負荷判定部５０２は、各基地局装置１００ａ〜１００ｃのＲｏＴ情報からノンプライマリセルの基地局装置１００ｂ、１００ｃにおける負荷状況を判定する。具体的には、他セル負荷判定部５０２は、基地局装置１００ｂ、１００ｃのＲｏＴ情報を参照して、基地局装置ごとの受信電力とＲｏＴ閾値との差（ΔＲｏＴ）を所定の閾値と比較する。他セル負荷判定部５０２は、比較の結果、ΔＲｏＴが所定の閾値以上であれば、この基地局装置の負荷は大きくないと判定し、ΔＲｏＴが所定の閾値未満であれば、この基地局装置の負荷が大きいと判定する。そして、他セル負荷判定部５０２は、ノンプライマリセルの基地局装置１００ｂ、１００ｃの負荷状況の判定結果を伝送レート決定部３０５ｂへ通知する。
【０１１１】
伝送レート決定部３０５ｂは、各基地局装置１００ａ〜１００ｃから送信された伝送レートコマンドおよび他セル負荷判定部５０２における判定結果に従って、上り回線の伝送レートを決定し、バッファ部３０８、誤り訂正符号化部３０９、変調部３１０、および送信電力制御部３１１に対して伝送レートを指示する。
【０１１２】
具体的には伝送レート決定部３０５ｂは、例えばプライマリセルの基地局装置１００ａからの伝送レートコマンドがＡＧであり、ノンプライマリセルの基地局装置１００ｂ、１００ｃからの伝送レートコマンドがいずれも「ＨＯＬＤ」を示すＲＧであり、さらに、他セル負荷判定部５０２における判定結果から負荷が大きい基地局装置がない場合は、基地局装置１００ａからのＡＧに従った伝送レートを最終的な伝送レートに決定する。また、例えばプライマリセルの基地局装置１００ａからの伝送レートコマンドがＡＧであり、ノンプライマリセルの基地局装置１００ｂ、１００ｃからの伝送レートコマンドがいずれも「ＨＯＬＤ」を示すＲＧであっても、他セル負荷判定部５０２における判定結果から負荷が大きい基地局装置がある場合は、基地局装置１００ａからのＡＧに従わず基地局装置１００ｂ、１００ｃからのＲＧに基づいて最終的な伝送レートを決定する。
【０１１３】
次いで、上記のように構成された基地局装置１００ａ〜１００ｃおよび移動局装置３００による上り回線の伝送レート制御動作について説明する。
【０１１４】
まず、実施の形態１と同様に、各基地局装置１００ａ〜１００ｃのスケジューリング部１０７ａによって生成されたＡＧおよびＲＧの伝送レートコマンドが移動局装置３００へ送信される。また、本実施の形態においては、各基地局装置１００ａ〜１００ｃのＲｏＴ情報測定部１０４によって生成されたＲｏＴ情報が伝送レートコマンドとともに移動局装置３００へ送信される。
【０１１５】
送信された伝送レートコマンドおよびＲｏＴ情報を含む信号は、ＲＦ受信部３０１によってアンテナを介して受信され、所定の無線受信処理が施される。そして、受信信号は、復調部３０２によって復調され、誤り訂正復号部３０３によって誤り訂正復号され、受信データが出力されるとともに、伝送レートコマンドが伝送レートコマンド取得部３０４へ出力され、ＲｏＴ情報がＲｏＴ情報取得部５０１へ出力される。
【０１１６】
そして、伝送レートコマンド取得部３０４によって、基地局装置１００ａから送信されたＡＧの伝送レートコマンドおよび基地局装置１００ｂ、１００ｃから送信されたＲＧの伝送レートコマンドがそれぞれ取得され、すべての伝送レートコマンドが伝送レート決定部３０５ｂへ出力される。
【０１１７】
一方、ＲｏＴ情報取得部５０１によって、基地局装置１００ａ〜１００ｃにおける受信電力の内訳を示すＲｏＴ情報が取得され、各基地局装置１００ａ〜１００ｃのＲｏＴ情報が他セル負荷判定部５０２へ出力される。そして、他セル負荷判定部５０２によって、各基地局装置１００ａ〜１００ｃのＲｏＴ情報が参照されて、ノンプライマリセルの基地局装置１００ｂ、１００ｃにおける負荷状況が判定される。すなわち、基地局装置１００ｂ、１００ｃのＲｏＴ情報から、それぞれの基地局装置におけるＲｏＴ閾値と受信電力との差（ΔＲｏＴ）が算出され、ΔＲｏＴが所定の閾値と比較される。この比較の結果、ΔＲｏＴが所定の閾値以上である基地局装置の負荷状況は大きくないと判定され、ΔＲｏＴが所定の閾値未満である基地局装置の負荷状況は大きいと判定される。そして、この判定結果が伝送レート決定部３０５ｂへ出力される。
【０１１８】
そして、伝送レート決定部３０５ｂによって、実際に上り回線のデータを送信する伝送レートが決定される。具体的には、例えば基地局装置１００ｂ、１００ｃから送信されたＲＧの伝送レートコマンドがいずれも「ＨＯＬＤ」であり、かつ、他セル負荷判定部５０２によって負荷が大きいと判断された基地局装置がない場合は、基地局装置１００ａから送信されたＡＧの伝送レートコマンドに従った伝送レートが最終的な伝送レートとなる。また、例えばＲＧの伝送レートコマンドがいずれも「ＨＯＬＤ」であっても、他セル負荷判定部５０２によって負荷が大きいと判断された基地局装置がある場合は、基地局装置１００ａから送信されたＡＧの伝送レートコマンドに従わず、現在の伝送レートと同じ伝送レートまたは１段階低い伝送レートが最終的な伝送レートとなる。決定された最終的な伝送レートは、バッファ部３０８、誤り訂正符号化部３０９、変調部３１０、および送信電力制御部３１１へ通知される。
【０１１９】
本実施の形態においては、他セル負荷判定部５０２によって、基地局装置ごとのＲｏＴ情報からノンプライマリセルの各基地局装置１００ｂ、１００ｃの負荷状況が判断され、負荷が大きい基地局装置がある場合は、伝送レート決定部３０５ｂは、プライマリセルの基地局装置１００ａから送信されるＡＧの伝送レートコマンドを無視して、ＲＧによる伝送レートを最終的な伝送レートとする。つまり、プライマリセルの基地局装置１００ａは、他セルの負荷状況を考慮せずにＡＧを行っても、他セルの負荷が大きい場合にはＡＧは実行されないことになる。したがって、アクティブセットのすべての基地局装置における受信電力がＲｏＴ閾値を超過することを抑制し、負荷過剰を防止することができる。また、各基地局装置１００ａ〜１００ｃにおける負荷状況を直接反映するＲｏＴ情報を参照するため、各基地局装置１００ａ〜１００ｃにおける負荷状況を正確に判定することができる。
【０１２０】
以下、実施の形態１と同様に、最終的な伝送レートに応じた符号化率、変調方式、および送信電力で、送信データおよび要求伝送レート情報がアンテナを介して基地局装置１００ａ〜１００ｃへ送信される。
【０１２１】
そして、実施の形態２と同様に、スケジューリング部１０７ａによって要求伝送レート情報およびＲｏＴ情報のみによるスケジューリングが行われ、ノンプライマリセルの基地局装置１００ｂ、１００ｃの負荷状況に関係なく伝送レートコマンドが生成される。
【０１２２】
以下、再び基地局装置１００ａ〜１００ｃからＡＧおよびＲＧの伝送レートコマンドとＲｏＴ情報とが移動局装置３００へ送信され、上り回線の伝送レートが制御されるとともに、移動局装置３００においては、ノンプライマリセルの基地局装置１００ｂ、１００ｃの負荷状況がＲｏＴ情報から判定される。
【０１２３】
このように、本実施の形態によれば、移動局装置がアクティブセットの基地局装置から送信されるＲｏＴ情報に基づいて、ノンプライマリセルの基地局装置における負荷状況を判定する。そして、ノンプライマリセルの基地局装置における負荷が大きい場合は、移動局装置は、プライマリセルの基地局装置から送信される、直接伝送レートを指定するＡＧの伝送レートコマンドを無視する。このため、ノンプライマリセルの基地局装置における負荷が大きい場合には、上り回線の伝送レートが急激に増加することがなく、アクティブセットのすべての基地局装置における受信電力がＲｏＴ閾値を超過することを抑制し、負荷過剰を防止することができる。また、負荷状況を直接反映するＲｏＴ情報を参照するため、各基地局装置における負荷状況を正確に判定することができる。
【０１２４】
なお、本実施の形態においては、ＲｏＴ情報に基づいてノンプライマリセルの基地局装置における負荷状況を判定し、判定結果によってはＡＧの伝送レートコマンドを無視する構成としたが、判定結果に応じた他セル負荷情報を生成し、実施の形態１と同様に、プライマリセルの基地局装置においてＡＧによる伝送レートの指示を禁止するようにしても良い。
【０１２５】
また、本実施の形態においては、基地局装置がＲｏＴ情報を送信するものとしたが、アクティブセットのすべての基地局装置がＲｏＴ情報に基づいて自装置における負荷状況を判定し、自装置の負荷が過剰となっているか否かを示す負荷過剰情報を移動局装置へ送信するようにしても良い。この場合は、移動局装置は、負荷過剰情報に基づいてプライマリセルの基地局装置からのＡＧを無視したり、負荷過剰情報をプライマリセルの基地局装置へ送信したりする。そして、負荷過剰情報がプライマリセルの基地局装置へ送信される場合は、負荷過剰情報に応じてプライマリセルの基地局装置からのＡＧによる伝送レートの指示が禁止される。
【０１２６】
また、上記各実施の形態においては、移動局装置３００は、伝送レートコマンドに従って最終的な伝送レートを決定した直後から符号化率、変調方式、および送信電力を変更するものとしたが、ＡＧの伝送レートコマンドに従って最終的な伝送レートを決定する場合は、実際の伝送レートの変更を遅延させ、実際に伝送レートが変更される時間をアクティブセットの基地局装置へ報知しておくようにしても良い。こうすることにより、アクティブセットのすべての基地局装置は、ＡＧの伝送レートコマンドによって急激に伝送レートが変化する場合、復調器やメモリのサイズなどのリソースを新たな伝送レートに対応させておく準備期間を設けることができる。
【０１２７】
本発明の第１の態様に係る移動局装置は、絶対的な伝送レートコマンドを送信する１つのプライマリセルの基地局装置および相対的な伝送レートコマンドを送信する少なくとも１つのノンプライマリセルの基地局装置を含む複数の基地局装置と同時に通信する移動局装置であって、前記ノンプライマリセルの基地局装置における負荷が所定レベル以上であるか否かを判定する判定手段と、前記ノンプライマリセルの基地局装置における負荷が所定レベル以上である場合に、前記相対的な伝送レートコマンドのみに応じた上り回線の伝送レートを決定する決定手段と、を有する構成を採る。
【０１２８】
この構成によれば、ノンプライマリセルの基地局装置における負荷が大きい場合は、相対的な伝送レートコマンドのみに応じた上り回線の伝送レートを決定するため、絶対的な伝送レートコマンドによって急激に上り回線の伝送レートが増加することがなく、アクティブセットのすべての基地局装置における受信電力がＲｏＴ閾値を超過することを抑制し、負荷過剰を防止することができる。
【０１２９】
本発明の第２の態様に係る移動局装置は、上記第１の態様において、前記決定手段は、前記ノンプライマリセルの基地局装置における負荷が所定レベル以上である場合に、前記プライマリセルの基地局装置による絶対的な伝送レートコマンドの送信を禁止するための他セル負荷情報を生成する生成手段と、生成された他セル負荷情報を前記プライマリセルの基地局装置へ送信する送信手段と、前記複数の基地局装置から前記相対的な伝送レートコマンドのみを取得する取得手段と、を含む構成を採る。
【０１３０】
この構成によれば、ノンプライマリセルの基地局装置における負荷が大きい場合に、プライマリセルの基地局装置へ他セル負荷情報を送信し、相対的な伝送レートコマンドのみを取得するため、確実に相対的な伝送レートコマンドのみに応じた伝送レートが決定される。また、プライマリセルの基地局装置から不要な伝送レートコマンドが送信されることがない。
【０１３１】
本発明の第３の態様に係る移動局装置は、上記第１の態様において、前記決定手段は、前記複数の基地局装置から前記絶対的な伝送レートコマンドおよび前記相対的な伝送レートコマンドを取得する取得手段、を含み、前記ノンプライマリセルの基地局装置における負荷が所定レベル以上である場合に、取得された絶対的な伝送レートコマンドを無視して伝送レートを決定する構成を採る。
【０１３２】
この構成によれば、ノンプライマリセルの基地局装置における負荷が大きい場合に、絶対的な伝送レートコマンドを無視して伝送レートを決定するため、確実に相対的な伝送レートコマンドのみに応じた伝送レートが決定される。また、移動局装置から基地局装置への情報のフィードバックが必要ないため、上り回線を伝送される情報量を削減することができる。
【０１３３】
本発明の第４の態様に係る移動局装置は、上記第１の態様において、前記判定手段は、前記ノンプライマリセルの基地局装置から送信された相対的な伝送レートコマンドを受信する受信手段、を含み、受信された相対的な伝送レートコマンドのうち、伝送レートを減少させる旨のコマンドの統計量に基づいて、前記ノンプライマリセルの基地局装置における負荷が所定レベル以上であるか否かを判定する構成を採る。
【０１３４】
この構成によれば、ノンプライマリセルの基地局装置から送信される「ＤＯＷＮ」の統計量に基づいて負荷の大小を判定するため、負荷の大小を判定するためだけに新たな情報を必要とすることがなく、容易な構成でノンプライマリセルの基地局装置の負荷の大小を判定することができる。
【０１３５】
本発明の第５の態様に係る移動局装置は、上記第４の態様において、前記判定手段は、伝送レートを減少させる旨のコマンドが所定時間内に所定回数以上受信された場合に、前記ノンプライマリセルの基地局装置における負荷が所定レベル以上であると判定する構成を採る。
【０１３６】
この構成によれば、所定時間内に受信された「ＤＯＷＮ」の数が多い場合に、負荷が大きいと判定するため、ノンプライマリセルの基地局装置における受信電力がＲｏＴ閾値を超えそうな状態を確実に検知することができる。
【０１３７】
本発明の第６の態様に係る移動局装置は、上記第１の態様において、前記判定手段は、前記ノンプライマリセルの基地局装置における受信電力の内訳を示すＲｏＴ情報を受信する受信手段、を含み、受信されたＲｏＴ情報に基づいて、前記ノンプライマリセルの基地局装置における負荷が所定レベル以上であるか否かを判定する構成を採る。
【０１３８】
この構成によれば、ノンプライマリセルの基地局装置から送信されるＲｏＴ情報に基づいて負荷の大小を判定するため、ノンプライマリセルの基地局装置における負荷状態を直接的かつ正確に判定することができる。
【０１３９】
本発明の第７の態様に係る移動局装置は、上記第６の態様において、前記判定手段は、前記ノンプライマリセルの基地局装置における受信電力と受信可能な最大電力を示すＲｏＴ閾値との差が所定値以下である場合に、前記ノンプライマリセルの基地局装置における負荷が所定レベル以上であると判定する構成を採る。
【０１４０】
この構成によれば、受信電力とＲｏＴ閾値との差が小さい場合に、負荷が大きいと判定するため、ノンプライマリセルの基地局装置における受信電力がＲｏＴ閾値を超えそうな状態を確実に検知することができる。
【０１４１】
本発明の第８の態様に係る移動局装置は、上記第１の態様において、前記判定手段は、前記ノンプライマリセルの基地局装置における負荷状況を示す負荷過剰情報を受信する受信手段、を含み、受信された負荷過剰情報に基づいて、前記ノンプライマリセルの基地局装置における負荷が所定レベル以上であるか否かを判定する構成を採る。
【０１４２】
本発明の第９の態様に係る移動局装置は、上記第１の態様において、前記判定手段は、前記ノンプライマリセルの基地局装置における負荷状況を示す負荷過剰情報を受信する受信手段、を含み、前記決定手段は、受信された負荷過剰情報を前記プライマリセルの基地局装置へ送信する送信手段と、前記複数の基地局装置から前記相対的な伝送レートコマンドのみを取得する取得手段と、を含む構成を採る。
【０１４３】
これらの構成によれば、各基地局装置が自装置の負荷状況を判定する場合でも、絶対的な伝送レートコマンドによって急激に上り回線の伝送レートが増加することがなく、アクティブセットのすべての基地局装置における受信電力がＲｏＴ閾値を超過することを抑制し、負荷過剰を防止することができる。
【０１４４】
本発明の第１０の態様に係る移動局装置は、上記第１の態様において、前記決定手段は、前記絶対的な伝送レートコマンドに応じた上り回線の伝送レートを決定する場合に、伝送レートが変化する範囲を制限する構成を採る。
【０１４５】
この構成によれば、絶対的な伝送レートコマンドに応じた伝送レートの変化を制限するため、ノンプライマリセルの基地局装置の負荷が小さい場合も、急激に伝送レートが増加することを防止することができ、より確実に負荷過剰を防止することができる。
【０１４６】
本発明の第１１の態様に係る移動局装置は、上記第１０の態様において、前記決定手段は、前記伝送レートが変化する範囲を変更した場合、変更後の範囲を前記複数の基地局装置へ報知する構成を採る。
【０１４７】
この構成によれば、伝送レートが変化する範囲を変更した場合、変更後の範囲を報知するため、アクティブセットの基地局装置は、変化し得る最大の伝送レートに備えてあらかじめリソースの準備をすることができる。
【０１４８】
本発明の第１２の態様に係る移動局装置は、上記第１の態様において、前記決定手段は、前記絶対的な伝送レートコマンドに応じた上り回線の伝送レートを決定する場合に、伝送レートが変化する時間を遅延させ、遅延後の伝送レートが変化する時間を前記複数の基地局装置へ報知する構成を採る。
【０１４９】
この構成によれば、絶対的な伝送レートコマンドに応じた伝送レートの変化を遅延させ、実際に伝送レートが変化する時間を報知するため、アクティブセットの基地局装置は、実際の伝送レートに備えてあらかじめリソースの準備をすることができる。
【０１５０】
本発明の第１３の態様に係る移動局装置は、上記第１の態様において、前記決定手段は、前記絶対的な伝送レートコマンドおよび前記相対的な伝送レートコマンドを用いて伝送レートを決定する場合に、前記相対的な伝送レートコマンドに１つでも伝送レートを減少させる旨のコマンドが含まれていれば、このコマンドに従って上り回線の伝送レートを決定する構成を採る。
【０１５１】
この構成によれば、１つでも「ＤＯＷＮ」が受信されれば上り回線の伝送レートが１段階下げられるため、アクティブセットのすべての基地局装置に対する干渉電力が増加することを確実に防止することができる。
【０１５２】
本発明の第１４の態様に係る基地局装置は、ソフトハンドオーバ中の移動局装置を含む複数の移動局装置と通信する基地局装置であって、前記ソフトハンドオーバ中の移動局装置が通信中の自装置以外の基地局装置における負荷状況を示す他セル負荷情報を受信する受信手段と、前記複数の移動局装置それぞれに割り当てる上り回線の伝送レートに対応する絶対的な伝送レートコマンドまたは相対的な伝送レートコマンドを生成するスケジューリング手段と、を有し、前記スケジューリング手段は、前記他セル負荷情報によって前記自装置以外の基地局装置における負荷が所定レベル以上であると判断される場合に、前記絶対的な伝送レートコマンドの生成を制限する構成を採る。
【０１５３】
この構成によれば、他セル負荷情報によって自装置以外の基地局装置における負荷が大きいと判断される場合は、絶対的な伝送レートコマンドの生成を制限してスケジューリングを行うため、例えば絶対的な伝送レートコマンドの生成を禁止することにより、絶対的な伝送レートコマンドによって急激に上り回線の伝送レートが増加することがなく、アクティブセットのすべての基地局装置における受信電力がＲｏＴ閾値を超過することを抑制し、負荷過剰を防止することができる。
【０１５４】
本発明の第１５の態様に係る基地局装置は、上記第１４の態様において、前記スケジューリング手段は、前記他セル負荷情報によって前記自装置以外の基地局装置における負荷が所定レベル以上であると判断される場合に、所定幅の範囲内の伝送レートを指定する絶対的な伝送レートコマンドを生成する構成を採る。
【０１５５】
この構成によれば、所定幅の範囲内の伝送レートを指定するＡＧを生成するため、絶対的な伝送レートコマンドによって急激に上り回線の伝送レートが増加することがないとともに、迅速に伝送レートを変更することができる。
【０１５６】
本発明の第１６の態様に係る伝送レート制御方法は、絶対的な伝送レートコマンドを送信する１つのプライマリセルの基地局装置および相対的な伝送レートコマンドを送信する少なくとも１つのノンプライマリセルの基地局装置を含む複数の基地局装置と同時に通信する移動局装置の伝送レート制御方法であって、前記ノンプライマリセルの基地局装置における負荷が所定レベル以上であるか否かを判定するステップと、前記ノンプライマリセルの基地局装置における負荷が所定レベル以上である場合に、前記相対的な伝送レートコマンドのみに応じた上り回線の伝送レートを決定するステップと、を有するようにした。
【０１５７】
この方法によれば、ノンプライマリセルの基地局装置における負荷が大きい場合は、相対的な伝送レートコマンドのみに応じた上り回線の伝送レートを決定するため、絶対的な伝送レートコマンドによって急激に上り回線の伝送レートが増加することがなく、アクティブセットのすべての基地局装置における受信電力がＲｏＴ閾値を超過することを抑制し、負荷過剰を防止することができる。
【産業上の利用可能性】
【０１５８】
本発明の移動局装置、基地局装置、および伝送レート制御方法は、アクティブセットのすべての基地局装置における受信電力がＲｏＴ閾値を超過することを抑制し、負荷過剰を防止することができ、例えばソフトハンドオーバ中の移動局装置が複数の基地局装置から上り回線の伝送レートを指示される移動体通信システムにおける移動局装置、基地局装置、および伝送レート制御方法として有用である。
【図面の簡単な説明】
【０１５９】
【図１】本発明の実施の形態１に係る移動体通信システムの構成を示す図
【図２】実施の形態１に係る基地局装置の要部構成を示すブロック図
【図３】実施の形態１に係る移動局装置の要部構成を示すブロック図
【図４】実施の形態１に係る伝送レートの一例を示す図
【図５】実施の形態１に係る伝送レートの決定方法の一例を示す図
【図６】本発明の実施の形態２に係る基地局装置の要部構成を示すブロック図
【図７】実施の形態２に係る移動局装置の要部構成を示すブロック図
【図８】本発明の実施の形態３に係る移動局装置の要部構成を示すブロック図
【図９】上り回線の伝送レート制御の具体例を示す図
【図１０】上り回線の伝送レート制御の他の具体例を示す図
【符号の説明】
【０１６０】
１０１、３０１  ＲＦ受信部
１０２、３０２  復調部
１０３、３０３  誤り訂正復号部
１０４  ＲｏＴ情報測定部
１０５  他セル負荷情報取得部
１０６  判定部
１０７、１０７ａ  スケジューリング部
１０８、３０９  誤り訂正符号化部
１０９、３１０  変調部
１１０、３１２  ＲＦ送信部
３０４  伝送レートコマンド取得部
３０５、３０５ａ、３０５ｂ  伝送レート決定部
３０６、３０６ａ  ＤＯＷＮ監視部
３０７  他セル負荷情報生成部
３０８  バッファ部
３１１  送信電力制御部
５０１  ＲｏＴ情報取得部
５０２  他セル負荷判定部
【図１】
2006140845.tif 000003
【図２】
2006140845.tif 000004
【図３】
2006140845.tif 000005
【図４】
2006140845.tif 000006
【図５】
2006140845.tif 000007
【図６】
2006140845.tif 000008
【図７】
2006140845.tif 000009
【図８】
2006140845.tif 000010
【図９】
2006140845.tif 000011
【図１０】
2006140845.tif 000012